(57)【特許請求の範囲】
【請求項１】
天板に形成した開口部と該開口部の天板下に配設した略溝状のダクト体により形成された配線ダクトに施着される配線ダクトカバーにおいて、配線ダクトの長手方向に沿った両側面側に、適宜ピッチでカバー取付用のベース部材の装着部を形成し、該装着部に装着したベース部材に、前記開口部に平行なヒンジ軸を上面に有するカバー支持部材を架装し、該カバー支持部材の前記ヒンジ軸にヒンジを備えたカバー体を当該ヒンジ軸において開閉自在に装着し、前記ベース部材は断面略逆Ｕ字状に形成しその長さ方向両端には挿入舌片を突出形成する一方、前記装着部には、前記挿入舌片を挿入係止，抜去離脱が自在のスリット乃至穴を設けたことを特徴とする配線ダクトカバーの取付構造。
【請求項２】
カバー支持部材は、ベース部材に重合して跨装される断面略Ｕ字状に形成し、その上面にヒンジ軸を突出させて形成した請求項１の配線ダクトカバーの取付構造。
【請求項３】
ヒンジ軸は、カバー支持部材と一体又は別体に形成した請求項２の配線ダクトカバーの取付構造。
【請求項４】
カバー体をヒンジ軸から取外した状態において、前記ヒンジ軸とカバー受けの上に、平板状の着脱式カバーを配設した請求項１〜３のいずれかの配線ダクトカバーの取付構造。
【請求項５】
カバー体が装着されたカバー支持部材をベース部材から取外した状態において、当該ベース部材の上に着脱式カバーをマウントする型式で被着した請求項１〜３のいずれかの配線ダクトカバーの取付構造。
【発明の詳細な説明】
【技術分野】
【０００１】
本発明は、テーブルやデスクの天板下に設けられた、パソコン等の電源ケーブルや通信ケーブルなどの配線を収容する配線ダクトに設けられるカバー（蓋ともいう）の取付構造に関する。
【背景技術】
【０００２】
テーブル等の天板下に設けられた配線ダクトに開閉自在又は着脱自在にカバー（又は蓋）を設ける技術は、特許文献１などにより既に公知である。
【０００３】
従来の配線ダクトカバーでは、着脱式カバーか、或は、ヒンジを有する開閉式カバーのいずれかの方式を採用するのが通例であり、着脱式カバーと開閉式カバーを同じ配線ダクトに選択的に装着できるものはない。
【０００４】
配線ダクトのカバーにおいては、テーブル等の使用者やテーブル等の使用態様によって、カバー（蓋）を取外した状態で使用できる着脱式が望ましいと考えるユーザーがいる一方、見映え等の点から不使用時などにはカバー（蓋）をしておきたいユーザーもある。この点に鑑み、開口部にカバーをしたままでも配線の邪魔にならない隙間を確保できる大きさのカバーもあるが、この方式の配線ダクトでも開閉式カバーと着脱式カバーを選択的に使用できるようになったものはない。
【０００５】
しかし、テーブル等のメーカーにとっては、同じ仕様のテーブルやデスクにおいて、配線ダクトのカバーに２種類の仕様のものを製造したり在庫したりすることは、それが当該テーブル等のコストに反映されるため、配線ダクトのカバーの仕様，構造については、その装備形式が着脱式か開閉式かも含め、できるだけシンプルにすることがコストアップを抑制する上で必要である。
【０００６】
また、配線ダクトカバーは、シンプルな構造であっても、開閉に際して脱落したり、閉じた状態でパソコン等の重量物が上に載せられたりしてもカバーが外れたりダクト内に落下しないことも必要である。
【特許文献１】特開平２００３−２３５６４９号公報
【発明の開示】
【発明が解決しようとする課題】
【０００７】
本発明は、上記のような配線ダクトカバーに要請される機能，作用について、至って簡単な構造を備えた開閉式のカバーを提供すると共に、着脱式カバーも装着することが可能な配線ダクトのカバーを提供することを課題とするものである。
【課題を解決するための手段】
【０００８】
上記課題を解決することを目的としてなされた本発明配線ダクトカバーの構成は、天板に形成した開口部と該開口部の天板下に配設した略溝状のダクト体により形成された配線ダクトに施着される配線ダクトカバーにおいて、配線ダクトの長手方向に沿った両側面側に、適宜ピッチでカバー取付用のベース部材の装着部を形成し、該装着部に装着したベース部材に、前記開口部に平行なヒンジ軸を上面に有するカバー支持部材を架装し、該カバー支持部材の前記ヒンジ軸にヒンジを備えたカバー体を当該ヒンジ軸において開閉自在に装着し、前記ベース部材は断面略逆Ｕ字状に形成しその長さ方向両端には挿入舌片を突出形成する一方、前記装着部には、前記挿入舌片を挿入係止，抜去離脱が自在のスリット乃至穴を設けたことを特徴とするものである。
【００１０】
また、上記本発明の構成において、カバー支持部材は、ベース部材に重合して載架される断面略Ｕ字状に形成し、その上面にヒンジ軸を突出させて形成したものである。ここで、ヒンジ軸を、当該カバー支持部材と一体又は別体に形成するか否かは、任意である。
【００１１】
前記ヒンジ軸は、その軸にカバー体を起伏自在に装着したとき、カバー体の上面が天板の上面にほぼ揃う高さに形成されている。
また、前記ヒンジ軸は、カバー支持部材の上面中央部乃至その近傍（すなわち、開口部の略中央）に背中合せ（左右対称）の態様で設け、各ヒンジ軸に２つのカバー体を、開けたとき背中合せ態様となるように設ける。
【００１２】
本発明配線ダクトカバーでは、カバー支持部材にカバー体を下から支えるための前記ヒンジ軸と略平行かつ略同高のカバー受けを設けている。
従って、カバー体をヒンジ軸から取外し、この状態のヒンジ軸とカバー受けの上に、平板状の着脱式カバー（図示せず）を配設することができる。着脱式のカバー体は、その下面に、開口部に被着する際の位置決め，ズレ止めなどのために、少なくともヒンジ軸又はカバー受けに嵌まる下向き凹部や対向壁などの被着部を設けることが望ましい。
【００１３】
本発明における着脱式カバーには、カバー支持部材をベース部材から取外した状態において、当該ベース部材の上にマウントする型式で被着するタイプもある。カバー支持部材を外したベース部材に直接マウントするタイプの着脱式カバーでは、その上面を天板面に揃えるために当該カバーの下面側に脚状又はスカート状のかさ上げ部を形成する。
【００１４】
上述したいずれのカバー体にも、それを閉じた状態、或は、被着した状態で当該カバー体の外縁辺と天板の開口部の内縁辺の間に、配線を通すための隙間が形成される幅（開口部の幅に対する幅）に形成されている。
【発明の効果】
【００１５】
本発明では、天板に形成した開口部と該開口部の天板下に配設した略溝状のダクト体により形成された配線ダクトに施着される配線ダクトカバーにおいて、前記開口部又は配線ダクトの長手方向に沿った両面側に、適宜ピッチでカバー取付用のベース部材の装着部を形成し、該装着部に装着したベース部材に、前記開口部に平行なヒンジ軸を上面に有するカバー支持部材を架装し、該カバー支持部材の前記ヒンジ軸にヒンジを備えたカバー体を当該ヒンジ軸において開閉自在に装着して配線ダクトカバーに形成したので、簡単な構造で開閉式のカバーを提供することができると共に、着脱式カバーも装着できる配線ダクトカバーを提供することが可能である。これにより一つの配線ダクトの基本構成，仕様において２タイプの配線ダクトカバーを使用することができる。そして、配線ダクトカバーの装着，取外しは勿論、その取付のためのベース部材や支持部材の配線ダクトへの着脱には、何らの工具も使用しないので、取扱い上も至って便利である。
【発明を実施するための最良の形態】
【００１６】
次に、図を参照して本発明配線ダクトカバーの実施の形態例について説明する。
図１は、本発明配線ダクトカバーの一例であって、開閉式カバーを閉じた状態の断面図、図２は図１のカバーを開けた状態の側断面図、図３は図１，図２の配線ダクトに使用されているベース部材の正面図、図４は図３のベース部材の右側面図、図５はカバー支持部材の正面図、図６は図５のカバー支持部材の右側面図、図７は一方のヒンジ軸の正面図、図８は図７のヒンジ軸の右側面図である。
【００１７】
図１，図２において、１は机やテーブルなどの天板で、図の例では天板１の奥行き方向（前後方向）の中央部に、適宜左右幅の開口部２が当該天板１の長手方向（図面に垂直方向）の略全長に亘り形成さている。2aは開口部２の縁部材である。
【００１８】
３は、前記天板１に設けた開口部２に対し、天板下面において当該開口部２に対面するように設けた鋼板やプラスチック板による溝状乃至樋状のダクト体で、天板上で使用するパソコンなどの電子機器などの配線や充電器，コネクタなどの機器が収容される。図示した例では、ダクト体３は天板１の開口部２に比べて十分に幅広に形成されており、当該ダクト体３の前記開口部２の直下部位には、断面コ状の開口縁部3a，3bが形成されている。
【００１９】
上記縁部3a，3bは、開口部２の長さ方向に当該開口部２の長さと略同長に形成されている。そして、このコ状縁部3a，3bの立壁には、適宜間隔で、後述するベース部材４の両端に形成された挿入舌片5a，5bを挿入して支持するスリット3c，3dが形成されている。前記舌片5a，5bを、例えば２本の棒で形成した場合、スリット3c，3dに代えて２本の棒を挿入する穴が形成される。本発明においては、スリット3c，3dを上記開口部２の縁部材2aが設けられている立壁面に設けることもできる。この場合、挿入舌片5a，5bは先端側を階段状に形成し、ベース部材４の高さ（天板上面からの深さ）が実施例の高さと同じになるようにする。
【００２０】
４は、上記ダクト体３の縁部3aに形成されたスリット3c，3dに挿入して保持される挿入舌片5a，5bを両外端に形成した断逆Ｕ字状のベース部材である。ここで、前記舌片5aが設けられる当該ベース部材４の、図の左側は挿入舌片5aを上，下に挟んでこの部材４の内部まで入り込む切欠部4aが形成されている。
【００２１】
図示したベース部材４には、上面側の中間部の２箇所に凹部4b，4cが、また、該凹部4b，4cに対応した下面側に凹部4d，4eが形成されている。これらのうち凹部4b，4cは、後述するカバー支持部材６に取付けられるヒンジ軸７の脚部7aが挿入され、凹部4d，4eにはカバー支持部材６の下端外面に設けた係止突起6e，6fが嵌合される。
【００２２】
上記のベース部材４は、天板１の開口部２の長さ方向に沿って等ピッチで設けられたダクト体３の縁部3a，3bに形成したスリット3c，3dに装着される。その装着は、まず、挿入舌片5aを、スリット3cにベース部材４の切欠4aの深さまで挿入し、次いでこの状態で反対側の舌片5bが対向したスリット3dに挿入されるように当該ベース部材４を図１の右方へスライドさせて、図１の装着状態にする。
【００２３】
６は、上記のようにしてダクト体３のスリット3c，3dに両端の舌片5a，5bが挿入されたベース部材４に、その上から跨装（マウント）した断面が当該ベース部材４にぴったり外嵌できる大きさであると共に、開口部２の内寸と略同長に形成された断面が逆Ｕ字状をなすカバー支持部材である。
この支持部材６の上面側には、やゝ外側寄りの左右２箇所に立壁6a，6bがカバー受けとして立設されていると共に、該壁6aと6bのそれぞれ内面側の根元近くに、後述するヒンジ軸７の取付穴6c，6dが設けられている。6e，6fは、カバー支持部材６の内面下部に設けた係止突起で、ベース部材４の凹部4d，4eに嵌入される。このカバー支持部材６をベース部材４にマウントする（係止突起6e，6fがベース部材４の凹部4d，4eに嵌合）こと、並びに、カバー支持部材６の全長が、開口部２の内寸と変らないことにより、ベース部材４がスリット3c，3dに対してスライド不能となる。つまり、当該支持部材６に、ベース部材４の開口部２に対する架装時のロック部材として働くのである。
【００２４】
７はヒンジ軸である。ヒンジ軸７はベース7aの上面側の一方に寄った位置に設けた大略短円柱状の軸7bを備える一方、下面側に、前記支持部材６の取付穴6c（又は6d）に嵌合される脚部7cを備えている。7dは脚部7cの外面に設けた係止突起で、前記支持部材６の取付穴6c（又は6d）の下面側の縁に係止される抜け止めである。なお、軸7bはベース7aの中央に対称的に設けることもできる。軸７を偏位させて設けるか中央部に設けるかは、他の部材との兼合いで決める設計的事項である。
【００２５】
また、水平向きの軸7bは、その中心から偏った部位にスリット71bが設けられていると共に、外周面に溝72bが設けられている。スリット71bはその壁を可変にして後述するカバー体８の半円筒状の軸キャッチ部8a（ヒンジ）の着脱性を確保する役割があり、溝72bは前記キャッチ部8aと軸7bの接触面の摩擦を減少する役割がある。
【００２６】
上記のヒンジ軸７は、その２個が向きを対称にしてカバー支持部材６の取付穴6c，6dに取付けられている（図１，図２参照）。図示したヒンジ軸７はカバー支持部材６とは別体に形成したものであるが、この軸７をカバー支持部材６と一体に形成するかどうかは任意である。カバー支持部材６とヒンジ軸７は、いずれもが一例として合成樹脂製であると、両部材６，７の一体，別体の成形，製作は任意に選択できるからである。
【００２７】
８は、上記のヒンジ軸７に装着される開閉タイプのカバー体で、下面の一側に、前記ヒンジ軸７の軸7bに回転可能に遊嵌される半円筒状の軸キャッチ部8aをヒンジとして備える一方、下面の他側に下向き舌片8bを備えて、一例としてアルミニウムの押出材で形成されている。カバー体８の材質は、アルミ等の金属材のほか、プラスチック材や木質系材料で形成したものでもよい。
【００２８】
上記カバー体８の軸7bへの装着は、例えば図２の起立状態において半円筒状の軸キャッチ部8aを軸7bへ嵌めると、当該キャッチ部8aが軸7bを略180度〜190度くらいの範囲で抱持するので、そのまま図１のように倒すと、カバー体８の底面がその支持部材６の立壁6a（6b）の頂部に当接して水平姿勢、つまり、閉蓋状態に保持される。なお、軸７に前記キャッチ部8aを嵌めるとき、軸７に設けたスリット71bの壁が撓んで、キャッチ部8aを嵌入しやすくする。
【００２９】
上記の閉蓋状態においては、カバー体８の外端（非ヒンジ側）と開口部２の縦部材2aの向に、配線が挿通できる十分な隙間Ｇが確保されているので、完全な閉蓋状態で配線を通しておくことができる。
【００３０】
一方、カバー体８を図２のように立てた開蓋状態では、開口部２が大きく露出するので、配線束の出入れや機器の出入れ、或は、それらのメンテナンスを行う上で便利である。
【００３１】
上述したヒンジ装着により開閉式カバーに形成した本発明ダクトカバーでは、上記のカバー体８を軸7bから取外した状態にし、この状態でヒンジ軸７の軸7bと立壁6a（6b）の上面（軸７の頂部と立壁6a（6b）の頂部はほぼ同高に形成されている）にフラットなカバー体（図示せず、図１の２枚のカバー体の全幅と同等幅の板体）を載架すると、このカバー体を着脱式カバー体として使用できる。この場合において、着脱式カバー体の下面には、左右の立壁6a，6bや軸7bを挟持する垂下壁などを設けて、このカバー体の位置決めや位置ずれ防止，外れ防止を図るとよい。
【００３２】
図１，図２の２枚のカバー体８をヒンジ軸７の軸7bとキャッチ部8aを介してその支持部材６に取付けたままで、又は、カバー体８を軸7bから外した上で、カバー支持部材６をベース部材４から外す（係止突起6e，6fをベース部材４の凹部4d，4eから外してから）と、開口部２にはその長さ方向に等ピッチでベース部材４だけが残る。
従って、本発明では、このベース部材４の上に、上面が天板１の上面と同面になる嵩高（又は厚さ）を有するカバー体（図示せず）を載架しても、先の着脱式カバー体と同じ作用効果が得られる。
【００３３】
以上の実施形態において、本発明の構成部材であるベース部材４、カバー支持部材６、ヒンジ軸７の着脱には何らの工具も使用しないので、カバー形式の変更（開閉式と着脱式）などにおいても何らの工具も使用せず、その変更などを行うことができる。
【産業上の利用可能性】
【００３４】
本発明は以上の通りであって、天板に形成した開口部と該開口部の天板下に配設した略溝状のダクト体により形成された配線ダクトに施着される配線ダクトカバーにおいて、前記開口部又は配線ダクトの長手方向に沿った両面側に、適宜ピッチでカバー取付用のベース部材の装着部を形成し、該装着部に装着したベース部材に、前記開口部に平行なヒンジ軸を上面に有するカバー支持部材を架装し、該カバー支持部材に前記ヒンジ軸にヒンジを備えたカバー体を当該ヒンジ軸において開閉自在に装着して配線ダクトカバーを形成したので、カバー体を取替えるだけでヒンジ開閉式カバーと着脱式カバーとを好みに応じて選択的に適用することができる。
【００３５】
この結果、メーカー等においては基本仕様が共通した配線ダクトに対し、開閉式と着脱式の２種類のカバー体を用意しておけば、いずれの方式のダクトカバーの需要にも迅速に対応することができる。
【図面の簡単な説明】
【００３６】
【図１】本発明配線ダクトカバーの一例であって、開閉式カバーを閉じた状態の断面図。
【図２】図１のカバーを開けた状態の側断面図。
【図３】図１，図２の配線ダクトに使用されているベース部材の正面図。
【図４】図３のベース部材の右側面図。
【図５】カバー支持部材の正面図。
【図６】図５のカバー支持部材の右側面図。
【図７】一方のヒンジ軸の正面図。
【図８】図７のヒンジ軸の右側面図。
【符号の説明】
【００３７】
１        天板
２        開口部
３        ダクト体
４        ベース部材
5a，5b    挿入舌片
６        カバー支持部材
７        ヒンジ軸
８        カバー体
【図１】
0005067800.tif 000002
【図２】
0005067800.tif 000003
【図３】
0005067800.tif 000004
【図４】
0005067800.tif 000005
【図５】
0005067800.tif 000006
【図６】
0005067800.tif 000007
【図７】
0005067800.tif 000008
【図８】
0005067800.tif 000009